(57)【特許請求の範囲】
【請求項１】
洗浄水により洗浄されて汚物を排出する水洗大便器であって、
汚物を受けるボウル部、前記ボウル部の上縁に形成されたリム部、及び、給水された洗浄水を前記リム部に吐水するリム吐水口を有する、便器本体と、
前記便器本体を洗浄するための洗浄水を貯水するための洗浄水タンクと、
前記洗浄水タンク内の洗浄水を前記便器本体に供給するように構成されたポンプ装置と、
前記洗浄水タンク内に洗浄水を供給するように構成された給水装置と、
前記ポンプ装置の駆動を制御するとともに、前記給水装置の洗浄水の給水を制御可能な制御装置と、を備え、
前記制御装置は、前記ポンプ装置により前記リム吐水口へ排出される洗浄水の排出総量が、前記洗浄水タンクのタンク容量よりも大きい洗浄モードを実行可能であり、
前記制御装置は、前記洗浄モードにおいて、前記給水装置により洗浄水の給水を行う給水期間の少なくとも一部が、前記ポンプ装置により洗浄水の排出を行う排出期間の少なくとも一部と重なるように、前記ポンプ装置及び前記給水装置の駆動を制御するように構成されている、
ことを特徴とする水洗大便器。
【請求項２】
前記便器本体は、前記リム吐水口のみから洗浄水を吐水するように構成されている、
請求項１に記載の水洗大便器。
【請求項３】
前記制御装置は、前記洗浄モードにおいて、前記給水装置による洗浄水の給水と、前記ポンプ装置による洗浄水の排出とを同時に開始するように構成されている、
請求項１又は２に記載の水洗大便器。
【請求項４】
前記洗浄水タンクは、外部に開放された開放部を有し、
前記洗浄モードにおいて、前記ポンプ装置による前記便器本体への洗浄水の排出瞬間流量（Ｌ／ｍｉｎ）は、前記給水装置による前記洗浄水タンクへの洗浄水の給水瞬間流量（Ｌ／ｍｉｎ）よりも大きい、
請求項３に記載の水洗大便器。
【請求項５】
前記洗浄水タンクにはオーバーフロー流路が接続され、
前記オーバーフロー流路は前記リム吐水口と連通している、
請求項１〜４に記載の水洗大便器。
【請求項６】
前記水洗大便器は、さらに、前記洗浄水タンク内に設けられ、前記洗浄水タンク内の洗浄水が所定の水位以上であることを検知すると検知信号を前記制御装置に送信することができるフロートスイッチを有し、
前記制御装置は、前記フロートスイッチから前記検知信号を受信すると、前記給水装置の駆動を停止するように構成されている、
請求項４に記載の水洗大便器。
【請求項７】
前記制御装置は、前記給水装置による給水の開始から所定の時間経過すると、前記給水装置による給水を停止させるように構成されている、
請求項６に記載の水洗大便器。
【発明の詳細な説明】
【技術分野】
【０００１】
本発明は、水洗大便器に関する。
【背景技術】
【０００２】
従来より、洗浄水タンクに貯水された洗浄水をポンプ装置により便器本体に排出し、便器本体の洗浄を行う水洗大便器装置が知られている。
【０００３】
このような水洗大便器装置として、例えば、特許文献１には、水道管から供給される水道水（洗浄水）を、給水圧を利用して便器本体のリム部に形成されたリム吐水口から吐水するとともに、洗浄水タンクに貯水された洗浄水をポンプ装置により加圧してボウル部の底部に形成されたジェット吐水口から吐水する構成の水洗大便器が開示されている。
【０００４】
また、例えば、特許文献２には、電動式ポンプによりタンク内の洗浄水を加圧して、リム吐水口から吐水する構成の水洗大便器が開示されている。
【先行技術文献】
【特許文献】
【０００５】
【特許文献１】特開２００９−３０４０５号公報
【特許文献２】特開２０１４−１１４６２７号公報
【発明の概要】
【発明が解決しようとする課題】
【０００６】
近年、意匠性向上のため、水洗大便器をコンパクト化することが求められている。水洗大便器をコンパクト化するためには、洗浄水を貯水するための洗浄水タンクを小型化することが考えられる。しかしながら、洗浄水タンクを小型化してしまうと、洗浄水タンク内の貯水可能な水量が少なくなり、便器本体への洗浄水の吐水量が少なくなってしまう。便器本体への洗浄水の吐水量が少なくなると、汚水を十分に排出することができなくなるおそれがある。このため、自治体によっては便器本体へ吐水する洗浄水の量が決められており、洗浄水タンクを小型化すると決められた量の洗浄水を吐水することができなくなる。
【０００７】
本発明は、上記の問題に鑑みなされたものであり、リム吐水による便器洗浄を行う水洗大便器において、洗浄水タンクを小型化することが可能であるとともに、十分な量の洗浄水を便器本体へ吐水することができる水洗大便器を提供することを目的とする。
【課題を解決するための手段】
【０００８】
本発明は、洗浄水により洗浄されて汚物を排出する水洗大便器であって、汚物を受けるボウル部、ボウル部の上縁に形成されたリム部、及び、給水された洗浄水をリム部に吐水するリム吐水口を有する、便器本体と、便器本体を洗浄するための洗浄水を貯水するための洗浄水タンクと、洗浄水タンク内の洗浄水を便器本体に供給するように構成されたポンプ装置と、洗浄水タンク内に洗浄水を供給するように構成された給水装置と、ポンプ装置の駆動を制御するとともに、給水装置の洗浄水の給水を制御可能な制御装置と、を備え、制御装置は、ポンプ装置によりリム吐水口へ排出される洗浄水の排出総量が、洗浄水タンクのタンク容量よりも大きい洗浄モードを実行可能であり、制御装置は、洗浄モードにおいて、給水装置により洗浄水の給水を行う給水期間の少なくとも一部が、ポンプ装置により洗浄水の排出を行う排出期間と重なるように、ポンプ装置及び給水装置の駆動を制御するように構成されている、ことを特徴とする。
上記構成の本発明によれば、制御装置が、洗浄モードにおいて、給水装置により洗浄水の給水を行う給水期間の一部が、ポンプ装置により洗浄水の排出を行う排出期間と重なるように、ポンプ装置及び給水装置の駆動を制御する。これにより、洗浄水タンクを小型化しても、洗浄水タンクのタンク容量よりも大きい十分な量の洗浄水を便器本体のリム吐水口から吐水することができる。
【０００９】
本発明において、好ましくは、便器本体は、リム吐水口のみから洗浄水を吐水するように構成されている。
例えば、特許文献１のようにリム吐水口及びジェット吐水口からの吐水を併用する場合には、タンク装置から供給された洗浄水をジェット吐水口から吐水するとともに、水道管から供給された洗浄水をリム吐水口から吐水するため、タンク装置の容量が小さい場合であっても十分な量の洗浄水を便器本体に吐水することができた。しかしながら、本発明のようなリム吐水口のみから洗浄水を吐水するような構成では、水道管から供給された洗浄水と、タンク装置から供給された洗浄水とを同時に排出することができない。これに対して、上記構成の本発明によれば、給水装置により洗浄水の給水を行う給水期間の少なくとも一部が、ポンプ装置により洗浄水の排出を行う排出期間の少なくとも一部と重なるように、ポンプ装置及び給水装置の駆動を制御する。これにより、タンク装置に貯水された水量のみならず、給水装置により供給された洗浄水も一度の洗浄動作で吐水することができるため、リム吐水口のみから洗浄水を吐水するような場合であっても、十分な量の洗浄水を便器本体に吐水することができる。
【００１０】
本発明において、好ましくは、制御装置は、洗浄モードにおいて、給水装置による洗浄水の給水と、ポンプ装置による洗浄水の排出とを同時に開始するように構成されている。
上記構成の本発明によれば、給水装置による洗浄水の給水と、ポンプ装置による洗浄水の排出とを同時に開始するため、最短の時間で洗浄水の吐水を完了することができ、便器本体への吐水後にタンク装置が満水になるまでの時間を短くすることができる。
【００１１】
本発明において、好ましくは、洗浄水タンクは、外部に開放された開放部を有し、洗浄モードにおいて、ポンプ装置による便器本体への洗浄水の排出瞬間流量（Ｌ／ｍｉｎ）は、給水装置による洗浄水タンクへの洗浄水の給水瞬間流量（Ｌ／ｍｉｎ）よりも大きい。
洗浄水タンクは、上流側（給水装置側）との縁切りのため、外部に開放された開放部を有している。このため、給水装置による洗浄水の給水と、ポンプ装置による洗浄水の排出とを同時に開始すると、開放部から外部へ漏水するおそれがある。これに対して、上記構成の本発明によれば、ポンプ装置による便器本体への洗浄水の排出瞬間流量（Ｌ／ｍｉｎ）が、給水装置による洗浄水タンクへの洗浄水の給水瞬間流量（Ｌ／ｍｉｎ）よりも大きいため、給水装置による洗浄水の給水と、ポンプ装置による洗浄水の排出とを同時に開始したとしても、開放部から外部へ漏水することを防止できる。
【００１２】
本発明において、好ましくは、洗浄水タンクにはオーバーフロー流路が接続され、オーバーフロー流路はリム吐水口と連通している。
上記構成の本発明によれば、オーバーフロー流路が形成されているため、洗浄水タンクに開放部が形成されている場合には、より確実に開放部からの漏水を防止できる。さらに、給水装置による洗浄水の給水を、ポンプ装置による洗浄水の排出よりも先に開始する場合であっても、開放部からの漏水を確実に防止できる。
【００１３】
本発明において、好ましくは、水洗大便器は、さらに、洗浄水タンク内に設けられ、洗浄水タンク内の洗浄水が所定の水位以上であることを検知すると検知信号を制御装置に送信することができるフロートスイッチを有し、制御装置は、フロートスイッチから検知信号を受信すると、給水装置の駆動を停止するように構成されている。
フロートスイッチを設けたとしても、排出瞬間流量と給水瞬間流量とが略等しい場合には、洗浄水タンク内の水位があまり低下せず、フロートスイッチが検知信号を送信し続ける状態となり、フロートスイッチからの検知信号に基づき給水装置の駆動を停止することができないおそれがある。これに対して、上記構成の本発明によれば、洗浄モードにおいて、給水装置による洗浄水の給水と、ポンプ装置による洗浄水の排出とを同時に開始し、排出瞬間流量が、給水瞬間流量よりも大きいため、洗浄水タンク内の洗浄水の水位が確実に低下する。このため、フロートスイッチが検知信号を一端送信しなくなるため、フロートスイッチからの検知信号に基づき給水装置の駆動を停止することができる。
【００１４】
本発明において、好ましくは、制御装置は、給水装置による給水の開始から所定の時間経過すると、給水装置による給水を停止させるように構成されている。
上記構成の本発明によれば、例えば、フロートスイッチが故障した場合などであっても、確実に給水を中止し、漏水を防止できる。
【発明の効果】
【００１５】
本発明によれば、洗浄水タンクを小型化することが可能であるとともに、十分な量の洗浄水を便器本体へ吐水することができる水洗大便器が提供される。
【図面の簡単な説明】
【００１６】
【図１】本発明の第１実施形態による大便器装置を示す全体構成図である。
【図２】本発明による第１実施形態の大便器装置における第１の洗浄モードの各機能部の駆動を示すフローチャートである。
【図３】本発明の第１実施形態による水洗大便器におけるフロートスイッチが故障した場合の第１の洗浄モードの各機能部の駆動を示すフローチャートである。
【図４】本発明の第２実施形態の大便器装置における第１の洗浄モードの各機能部の駆動を示すフローチャートである。
【発明を実施するための形態】
【００１７】
以下、本発明の実施形態による大便器装置について図面を参照しながら詳細に説明する。
【００１８】
＜第１実施形態＞
図１は、本発明の第１実施形態による大便器装置を示す全体構成図である。図１に示すように、本発明の第１実施形態による大便器装置１は、洗浄水により汚物を排出し、便器を洗浄する水洗大便器装置である。大便器装置１は、便器本体２と、便器本体２の後方に配置された洗浄水タンク装置（洗浄水タンク）４と、洗浄水タンク装置４に貯水された洗浄水を便器本体２に供給するポンプ装置６と、洗浄水タンク装置４に洗浄水を供給する給水装置８と、制御装置１０と、を備える。
【００１９】
便器本体２は陶器製であり、便器本体２は、汚物を受けるボウル部２ａと、このボウル部２ａの底部から延びてボウル部２ａ内の汚物を排出する排水トラップ管２ｂと、ボウル部２ａの上縁に形成されるリム部２ｃと、を備えている。便器本体２の後方の横方向一側には、リム導水路２ｄが形成されており、リム導水路２ｄにはポンプ装置６から延びる給水管１２が接続されている。また、排水トラップ管２ｂは、下水道（図示せず）に接続されている。
【００２０】
ポンプ装置６から吐水管１４を通じてリム導水路２ｄに供給された洗浄水は、リム導水路２ｄの下流端のリム吐水口２ｆからボウル部２ａ内に吐水され、便器洗浄（いわゆる、リム吐水１００％による便器洗浄）が行われるようになっている。そして、リム吐水口２ｆからボウル部２ａに吐水された洗浄水は、汚水とともに排水トラップ管２ｂを通り、下水に排水される。なお、本実施形態の便器本体２は、吐水口として、リム吐水口２ｆのみしか設けられておらず、洗浄水はリム吐水口２ｆのみから吐水される。なお、本実施形態では、洗浄水をリム吐水口２ｆのみから吐水する構成としているが、排水トラップ管２ｂにゼット吐水口を設け、リム吐水口及びゼット吐水口から吐水を行うなど、他の吐水口を設けてもよい。
【００２１】
給水装置８は、水道管（図示せず）に接続された給水管１２に設けられた止水弁３０と、止水弁３０の下流側に設けられた定流量弁３２と、定流量弁３２の下流に設けられた電磁開閉弁３４と、を備える。給水管１２は、給水装置８の下流において洗浄水タンク装置４に接続されている。
【００２２】
止水弁３０は、水道管からの水道水（洗浄水）の供給を停止させるための弁である。
定流量弁３２は、水道管から供給された洗浄水の流量を一定に調整するための弁である。
【００２３】
電磁開閉弁３４が電磁的に開閉可能な弁であり、電磁開閉弁３４が開放されることにより、洗浄水が洗浄水タンク装置４に供給される。電磁開閉弁３４は、制御装置１０に電気的に接続されており、制御装置１０により開閉状態を切替可能である。
【００２４】
洗浄水タンク装置４は、連結ユニット２０と、タンクユニット２２とを備える。洗浄水タンク装置４は、少なくともその下部が便器本体２の後方上部に取付けられている。洗浄水タンク装置４は、便器本体２に取付けられた状態で、自身の高さが比較的低く形成されているいわゆるローシルエットタンクである。
【００２５】
連結ユニット２０は、水受けハウジング２４（小タンク）と、オーバーフロー管２６と、逆止弁２８と、を備えている。
水受けハウジング２４は、下方に下方開口部２４ａが形成されるとともに、側面にオーバーフロー口２４ｂが形成されている。また、水受けハウジング２４の上部の少なくとも一部に、外部に開放された開放部２４ｃが形成されている。水受けハウジング２４に、外部と連通する開放部２４ｃが形成されていることにより、外部から空気が入り込み、給水管１２側の水と、洗浄水タンク装置４内の洗浄水とを縁切りすることができる。
【００２６】
水受けハウジング２４は、下方開口部２４ａがタンクユニット２２の貯水タンク４２の上方開口部４２ａに着脱可能に接続されている。また、給水管１２が水受けハウジング２４の側壁を貫通して内部まで延びており、給水管１２を通じて供給された洗浄水は水受けハウジング２４内に吐水される。
【００２７】
オーバーフロー口２４ｂには、吐水管１４まで延びるオーバーフロー流路が内部に形成されたオーバーフロー管２６が接続されており、オーバーフロー口２４ｂには逆止弁２８が取り付けられている。逆止弁２８は、水受けハウジング２４内の洗浄水をオーバーフロー口２４ｂからオーバーフロー管２６に流入することを可能にする一方、オーバーフロー管２６内の洗浄水が水受けハウジング２４内へ逆流することを妨げることができるようになっている。このような構成により、水受けハウジング２４内の洗浄水がオーバーフロー口２４ｂの高さまで到達すると、水受けハウジング２４内の洗浄水がオーバーフロー口２４ｂを通り、オーバーフロー管２６及び吐水管１４を介して便器本体２に排出される。なお、逆止弁２８により吐水管１４内の洗浄水が水受けハウジング２４内に逆流することは防止されている。
【００２８】
タンクユニット２２は、貯水タンク４２と、フロートスイッチ４０と、を備える。
貯水タンク４２は、洗浄水を貯水することができるタンクであり、上部に上方開口部４２ａが形成されている。貯水タンク４２の上方開口部４２ａには、水受けハウジング２４の下方開口部２４ａが接続されている。給水管１２から水受けハウジング２４に供給された洗浄水は、下方開口部２４ａを通じて貯水タンク４２に供給される。
【００２９】
フロートスイッチ４０は、貯水タンク４２内の上部に設置されており、満水水位の基準となる上部規定水位を検知する。フロートスイッチ４０は制御装置１０に電気的に接続されており、貯水タンク４２内の水位が上昇して上部規定水位に到達したときに、上部規定水位に到達したことを示す検知信号を発信する。制御装置１０はこの検知信号を受信すると洗浄水タンクがほぼ満水状態となったと判断できる。上部規定水位は、満水水位であり、通常の洗浄用に規定されている貯水タンク４２の止水水位である。なお、本実施形態では、タンク容量とは、この満水水位まで貯水タンク４２内に貯水した際の貯水タンク４２内に貯水された洗浄水の量をいうが、これに限らず、例えば、タンク装置４内に貯水可能な限界量（すなわち、水位がオーバーフロー口２４ｂに到達した状態の貯水量）などとしてもよい。
【００３０】
ポンプ装置６は、電動ポンプ５０と、電動ポンプ５０に接続された取水管５２とを備える。電動ポンプ５０は取水側に取水管５２が接続され、排水側に吐水管１４が接続されている。取水管５２は貯水タンク４２の側壁を貫通して中に入り、その下部まで延びている。電動ポンプ５０は、取水管５２から貯水タンク４２内の洗浄水をくみ上げ、吐水管１４を通じて便器本体２に供給する。ポンプ装置６は、制御装置１０に電気的に接続されており、制御装置１０により駆動状態と停止状態とが切り替えられる。なお、電動ポンプ５０により貯水タンク４２から排出される時間当たりの洗浄水の排出量（排出瞬間流量（Ｌ／ｍｉｎ））は時間によらずほぼ一定であり、給水装置８からタンク装置４に供給される時間当たりの洗浄水の供給量（給水瞬間流量（Ｌ／ｍｉｎ）よりも大きい。
【００３１】
制御装置１０は、例えば、ＣＰＵとメモリーを備えた制御回路６０と、制御回路６０と無線又は有線で通信可能なリモコン６１とを備え、リモコン６１への入力に応じて制御回路６０においてＣＰＵがメモリーに記憶されたプログラムを実行することにより実現される。
【００３２】
制御装置１０の制御回路６０は、給水装置８の電磁開閉弁３４に電気的に接続されており、給水装置８の給水を制御可能である。具体的には、制御回路６０は、電磁開閉弁３４の開閉を切り替えることにより、給水装置８による給水を停止した状態と、給水装置８によりタンク装置４へ給水する状態とを切り替えることができる。
【００３３】
また、制御装置１０の制御回路６０は、ポンプ装置６の電動ポンプ５０に電気的に接続されており、ポンプ装置６の駆動を制御可能である。具体的には、制御回路６０は、電動ポンプ５０に電極供給して電動ポンプ５０を駆動させることにより、タンク装置４から洗浄水を便器本体２に供給する駆動状態と、電動ポンプ５０への電力供給を停止し、電動ポンプ５０を停止させた停止状態とを切り替えることができる。
【００３４】
本実施形態では、制御装置１０は、リモコン６１による入力に応じて、便器本体２に排出される洗浄水の水量が異なる洗浄モードを設定可能である。具体的には、制御装置１０は、ポンプ装置６により便器本体２へ排出される洗浄水の排出総量が、洗浄水タンクのタンク容量よりも大きい第１の洗浄モードと、ポンプ装置６により便器本体２へ排出される洗浄水の排出総量が、洗浄水タンクのタンク容量よりも小さい第２の洗浄モードと、を実行可能である。なお、必ずしも、第１の洗浄モードが大洗浄に対応し、第２の洗浄モードが小洗浄に対応するものではなく、例えば、各自治体で定められた洗浄水量を確保できるように大洗浄を第１の洗浄モード及び第２の洗浄モードの何れかに設定し、第２の洗浄モードよりも排出総量が少ない第３の洗浄モードを小洗浄に設定してもよい。
【００３５】
以下、第１実施形態の大便器装置１における第１の洗浄モードの流れについて説明する。
図２は、本発明による第１実施形態の大便器装置における第１の洗浄モードの各機能部の駆動を示すフローチャートである。
時刻ｔ0〜ｔ1は、大便器装置１が待機状態となっている。この待機状態では、給水装置８の電磁開閉弁３４は閉鎖されており（ＯＦＦ）、ポンプ装置６の電動ポンプ５０は停止している（ＯＦＦ）。また、タンク装置４の貯水タンク４２には満水水位まで洗浄水が貯留されており、フロートスイッチはＯＮになっている。
【００３６】
ｔ1において、リモコン６１に第１の洗浄モードを実行する旨の入力が行われると、制御装置１０の制御回路６０は、第１の洗浄モードを実行する旨の入力から所定時間Ｔ１２が経過したｔ2において、電動ポンプ５０への電力供給を開始する。ただし、電力供給から所定の時間の間（ｔ2〜ｔ3）は、電動ポンプ５０は起動状態となっており、電力は供給されるものの実際に駆動はしていない。そして、ｔ3になるとポンプ装置６の電動ポンプ５０が駆動し、タンク装置４の貯水タンク４２内の洗浄水が吐水管１４を通じて便器本体２に供給され、リム吐水口２ｆから吐水される。また、これと同時にｔ3において、制御装置１０の制御回路６０は、給水装置８の電磁開閉弁３４を開放状態（ＯＮ）に切り替える。これにより、給水装置８からタンク装置４へ洗浄水の供給が開示される。給水装置８に供給された洗浄水は、水受けハウジング２４を介して貯水タンク４２に供給される。ここで、給水装置８が開放状態となり、電動ポンプ５０が駆動した状態では、貯水タンク４２から電動ポンプ５０により便器本体２へ排出される洗浄水の排出瞬間流量ＦＰ（Ｌ／ｍｉｎ）は、給水装置８によりタンク装置４に供給される洗浄水の給水瞬間流量ＦＴ（Ｌ／ｍｉｎ）よりも大きい。このため、貯水タンク４２内の洗浄水の水位が低下し始め、時刻ｔ4において、フロートスイッチがＯＦＦになる。
【００３７】
そして、電動ポンプ５０による給水開始（ｔ3）から所定の時間Ｔ３５が経過すると（あるいは、リモコン６１に第１の洗浄モードを実行する旨の入力が行われた時刻ｔ1から所定の時間が経過すると）、時刻ｔ5において制御回路６０が電動ポンプ５０への電力供給を停止する（ポンプ装置がＯＦＦ）。なお、第１の洗浄モードでは、この電動ポンプ５０の駆動時間（ｔ3〜ｔ5）における便器本体２へ排出される洗浄水の排出総量（すなわち、ＦＰ（Ｌ／ｍｉｎ）×（ｔ5−ｔ3））は、タンク装置のタンク容量よりも大きくなるように設定されている。
【００３８】
そして、時刻ｔ5において電動ポンプ５０が停止されると、貯水タンク４２内の洗浄水の水位が上昇し始める。そして、時刻ｔ6において、貯水タンク４２内の洗浄水の水位が満水水位近傍まで到達すると、フロートスイッチ４０がＯＮとなり、フロートスイッチ４０から制御回路６０に満水水位を検知したことを示す検知信号が送信される。
【００３９】
制御回路６０はフロートスイッチ４０から検知信号を受信した時点（ｔ6）から所定の時間Ｔ６７が経過すると、時刻ｔ7において、給水装置８の電磁開閉弁３４を閉鎖し、タンク装置４への洗浄水の給水を停止する。そして、大便器装置１は待機状態へと戻る。
【００４０】
このように、本実施形態では、給水装置８により洗浄水をタンク装置４へ供給する給水期間ｔ3〜ｔ7と、ポンプ装置６によりタンク装置４から便器本体２へ洗浄水を排出する排出期間ｔ3〜ｔ5とが、時刻ｔ3〜ｔ5において重なっている。
【００４１】
ポンプ装置６により便器本体２へ排出される洗浄水の排出総量が、洗浄水タンクのタンク容量よりも小さい第２の洗浄モードでは、給水装置による給水期間と、ポンプ装置による排出期間とを短くすればよい。なお、第２の洗浄モードでは、必ずしも、給水装置８により洗浄水をタンク装置４へ供給する給水期間ｔ1〜ｔ7と、ポンプ装置６によりタンク装置４から便器本体２へ洗浄水を排出する排出期間ｔ3〜ｔ5とが重なる必要はなく、タンク装置から便器本体２へ洗浄水を排出した後、給水装置による洗浄水をタンク装置に給水してもよい。
【００４２】
なお、上記の説明では、制御回路６０はフロートスイッチ４０から検知信号を受信してから所定の時間が経過すると給水装置８の電磁開閉弁３４を閉鎖しているが、本実施形態の制御回路６０は、フロートスイッチ４０が故障した場合などのために、ポンプ装置６を停止してから所定の時間が経過すると給水装置８の電磁開閉弁３４を閉鎖するように構成されている。
【００４３】
図３は、本発明の第１実施形態による水洗大便器におけるフロートスイッチが故障した場合の第１の洗浄モードの各機能部の駆動を示すフローチャートである。フロートスイッチが故障した場合も、時刻ｔ5までの流れは図２を参照して説明した流れと同じであるので、説明を省略する。
【００４４】
フロートスイッチが故障した場合には、ポンプ装置６を停止した時刻ｔ5以降においても、フロートスイッチ４０がＯＮにならない。制御回路６０は、このような場合には、ポンプ装置６を停止した時刻ｔ5から所定の時間Ｔ５８が経過すると、時刻ｔ8において給水装置８の電磁開閉弁３４を閉鎖し、タンク装置４への洗浄水の給水を停止する。これにより、フロートスイッチ４０が故障した場合であっても、タンク装置４への洗浄水の給水を停止することができる。なお、ポンプ装置６を停止した時刻ｔ5から給水装置８の電磁開閉弁３４を閉鎖する時刻ｔ8までの時間Ｔ５８は、図２を参照して説明したフローチャートにおける時刻ｔ5からｔ7の時間よりも長く設定されている。
【００４５】
本発明の第１実施形態によれば以下の効果が奏される。
本実施形態によれば、第１の洗浄モードにおいて、給水装置８により洗浄水の給水を行う給水期間ｔ1〜ｔ7の一部が、ポンプ装置６により洗浄水の排出を行う排出期間ｔ3〜ｔ5と重なるように、ポンプ装置６及び給水装置８の駆動を制御することにより、タンク装置４を小型化するとともに、タンク装置４のタンク容量よりも大きい十分な量の洗浄水を便器本体２のリム吐水口２ｆから吐水することができる。
【００４６】
また、本実施形態によれば、便器本体２は、リム吐水口２ｆのみから洗浄水を吐水するように構成されている。特許文献１のようにリム吐水口及びジェット吐水口からの吐水を併用する場合には、タンク装置から供給された洗浄水をジェット吐水口から吐水するとともに、水道管から供給された洗浄水をリム吐水口から吐水するため、タンク装置の容量が小さい場合であっても十分な量の洗浄水を便器本体に吐水することができた。しかしながら、本実施形態のようなリム吐水口２ｆのみから洗浄水を吐水するような構成では、水道管から供給された洗浄水と、タンク装置４から供給された洗浄水とを同時に排出することができない。これに対して、本実施形態によれば、給水装置８により洗浄水の給水を行う給水期間ｔ1〜ｔ7の一部が、ポンプ装置６により洗浄水の排出を行う排出期間ｔ3〜ｔ5と重なるように、ポンプ装置６及び給水装置８の駆動を制御するため、タンク装置４に貯水された水量のみならず、給水装置８により供給された洗浄水も一度の洗浄動作で吐水することができるため、リム吐水口２ｆのみから洗浄水を吐水するような場合であっても、十分な量の洗浄水を便器本体２に吐水することができる。
【００４７】
また、本実施形態によれば、制御装置１０は、洗浄モードにおいて、給水装置８による洗浄水の給水と、ポンプ装置６による洗浄水の排出とを同時に開始するように構成されている。このため、給水装置８による洗浄水の給水と、ポンプ装置６による洗浄水の排出とが同時に開始されるため、最短の時間で洗浄水の吐水を完了することができ、便器本体２への吐水後にタンク装置４が満水になるまでの時間を短くすることができる。
【００４８】
また、本実施形態によれば、本実施形態では、洗浄水タンク装置４は、外部に開放された開放部２４ｃを有し、第１の洗浄モードにおいて、ポンプ装置６による便器本体２への洗浄水の排出瞬間流量（Ｌ／ｍｉｎ）は、給水装置８による洗浄水タンク装置４への洗浄水の給水瞬間流量（Ｌ／ｍｉｎ）よりも大きい。洗浄水タンク装置４は、上流側（給水装置８側）との縁切りのため、外部に開放された開放部２４ｃを有している。このため、給水装置８による洗浄水の給水と、ポンプ装置６による洗浄水の排出とを同時に開始すると、開放部２４ｃから外部へ漏水するおそれがある。これに対して、本実施形態によれば、ポンプ装置６による便器本体２への洗浄水の排出瞬間流量（Ｌ／ｍｉｎ）が、給水装置８による洗浄水タンク装置４への洗浄水の給水瞬間流量（Ｌ／ｍｉｎ）よりも大きいため、給水装置８による洗浄水の給水と、ポンプ装置６による洗浄水の排出とを同時に開始したとしても、開放部２４ｃから外部へ漏水することを防止できる。
【００４９】
また、本実施形態によれば、洗浄水タンク装置４の水受けハウジング２４の開放部２４ｃの下方にはオーバーフロー管２６が接続され、オーバーフロー管２６は吐水管１４を通じてリム吐水口と連通している。このように、オーバーフロー管２６が設けられているため、洗浄水タンク装置４の水受けハウジング２４に開放部２４ｃが形成されていても、開放部２４ｃからの漏水をより確実に防止できる。
【００５０】
また、本実施形態によれば、洗浄水タンク装置４内に設けられたフロートスイッチ４０を有し、制御装置１０は、フロートスイッチ４０から検知信号を受信すると、給水装置８の駆動を停止する。フロートスイッチを設けたとしても、排出瞬間流量と給水瞬間流量とが略等しい場合には、洗浄水タンク内の水位があまり低下せず、フロートスイッチが検知信号を送信し続けるため、フロートスイッチからの検知信号に基づき給水装置の駆動を停止することができないおそれがある。これに対して、本実施形態では、第１の洗浄モードにおいて、給水装置８による洗浄水の給水と、ポンプ装置６による洗浄水の排出とを同時に開始し、排出瞬間流量が、給水瞬間流量よりも大きいため、洗浄水タンク装置４内の洗浄水の水位が確実に低下し、フロートスイッチ４０が検知信号を一端送信しなくなるため、フロートスイッチ４０からの検知信号に基づき給水装置８の駆動を停止することができる。
【００５１】
また、本実施形態では、制御装置１０は、給水装置８による給水の開始から所定の時間経過すると、給水装置８による給水を停止させるように構成されている。これにより、例えば、フロートスイッチ４０が故障した場合などであっても、確実に給水を中止し、漏水を防止できる。
【００５２】
上記各実施形態では、制御装置１０は、給水装置８により洗浄水の給水を行う給水期間の一部が、ポンプ装置６により洗浄水の排出を行う排出期間の一部と重なるように、ポンプ装置及び給水装置の駆動を制御しているが、これに限らず、給水装置８により洗浄水の給水を行う給水期間の全体が、ポンプ装置６により洗浄水の排出を行う排出期間の一部と重なってもよいし、給水装置８により洗浄水の給水を行う給水期間の一部が、ポンプ装置６により洗浄水の排出を行う排出期間の全体と重なってもよいし、給水装置８により洗浄水の給水を行う給水期間の全体が、ポンプ装置６により洗浄水の排出を行う排出期間の全体と重なってもよい
【００５３】
＜第２実施形態＞
上記の第１実施形態では、リモコン６１に第１の洗浄モードを実行する旨の入力が行われると、制御装置１０の制御回路６０は、まず、時刻ｔ1において、給水装置８の電磁開閉弁３４を開放状態（ＯＮ）に切り替え、次いで、時刻ｔ3においてポンプ装置６による洗浄水の排出を開始している。しかしながら、本発明は、これに限られない。
【００５４】
図４は、本発明の第２実施形態の大便器装置における第１の洗浄モードの各機能部の駆動を示すフローチャートである。第２実施形態における大便器装置の全体構成は図１を参照して説明した第１実施形態の大便器装置と同様であり、第１の洗浄モードにおける各機能部の駆動が第１実施形態と異なっている。
【００５５】
時刻ｔ0´〜ｔ1´は、大便器装置１が待機状態となっている。この待機状態では、給水装置８の電磁開閉弁３４は閉鎖されており（ＯＦＦ）、ポンプ装置６の電動ポンプ５０は停止している（ＯＦＦ）。また、タンク装置４の貯水タンク４２には満水水位まで洗浄水が貯留されており、フロートスイッチはＯＮになっている。
【００５６】
ｔ1´において、リモコン６１に第１の洗浄モードを実行する旨の入力が行われると、制御装置１０の制御回路６０は、給水装置８の電磁開閉弁３４を開放状態（ＯＮ）に切り替える。これにより、給水装置８からタンク装置４へ洗浄水の供給が開示される。給水装置８に供給された洗浄水は、水受けハウジング２４を介して貯水タンク４２に供給される。なお、タンク装置４内の水位が上昇し、水受けハウジング２４のオーバーフロー口２４ｂまで到達すると、供給された洗浄水がオーバーフロー口２４ｂからオーバーフロー管２６に排出され、吐水管１４を通じて便器本体２へ排出される。
【００５７】
そして、第１の洗浄モードを実行する旨の入力から所定時間Ｔ１２´が経過したｔ2´になると、制御回路６０は、電動ポンプ５０への電力供給を開始する。ただし、電力供給から所定の時間の間（ｔ2´〜ｔ3´）は、電動ポンプ５０は起動状態となっており、電力は供給されるものの実際に駆動はしていない。そして、ｔ3´になるとポンプ装置６の電動ポンプ５０が駆動し、タンク装置４の貯水タンク４２内の洗浄水が吐水管１４を通じて便器本体２に供給され、リム吐水口２ｆから吐水される。ここで、給水装置８が開放状態となり、電動ポンプ５０が駆動した状態では、貯水タンク４２から電動ポンプ５０により便器本体２へ排出される洗浄水の排出瞬間流量ＦＰ（Ｌ／ｍｉｎ）は、給水装置８によりタンク装置４に供給される洗浄水の給水瞬間流量ＦＴ（Ｌ／ｍｉｎ）よりも大きい。このため、貯水タンク４２内の洗浄水の水位が低下し始め、時刻ｔ4´において、フロートスイッチがＯＦＦになる。
【００５８】
そして、電動ポンプ５０による給水開始（ｔ3´）から所定の時間Ｔ３５´が経過すると（あるいは、リモコン６１に第１の洗浄モードを実行する旨の入力が行われた時刻ｔ1´から所定の時間が経過すると）、時刻ｔ5´において制御回路６０が電動ポンプ５０への電力供給を停止する（ポンプ装置がＯＦＦ）。なお、第１の洗浄モードでは、この電動ポンプ５０の駆動時間（ｔ3´〜ｔ5´）は、この駆動時間における便器本体２へ排出される洗浄水の排出総量（すなわち、ＦＰ（Ｌ／ｍｉｎ）×（ｔ5´−ｔ3´））は、タンク装置のタンク容量よりも大きくなるように設定されている。
【００５９】
そして、時刻ｔ5´において電動ポンプ５０が停止されると、貯水タンク４２内の洗浄水の水位が上昇し始める。そして、時刻ｔ6´において、貯水タンク４２内の洗浄水の水位が満水水位近傍まで到達すると、フロートスイッチ４０がＯＮとなり、フロートスイッチ４０から制御回路６０に満水水位を検知したことを示す検知信号が送信される。
【００６０】
制御回路６０はフロートスイッチ４０から検知信号を受信した時点（ｔ6´）から所定の時間Ｔ６７´が経過すると、時刻ｔ7´において、給水装置８の電磁開閉弁３４を閉鎖し、タンク装置４への洗浄水の給水を停止する。そして、大便器装置１は待機状態へと戻る。
【００６１】
このように、本実施形態では、給水装置８により洗浄水をタンク装置４へ供給する給水期間ｔ1´〜ｔ7´と、ポンプ装置６によりタンク装置４から便器本体２へ洗浄水を排出する排出期間ｔ3´〜ｔ5´とが、時刻ｔ3´〜ｔ5´において重なっている。
【００６２】
なお、上記実施形態によれば、第１実施形態で奏される作用効果に加えて、以下の作用効果が奏される。
本実施形態では、給水装置８による洗浄水の給水を、ポンプ装置６による洗浄水の排出よりも先に開始するため、洗浄水タンク装置４から洗浄水が漏水するおそれがある。これに対して、本実施形態によれば、水受けハウジング２４にオーバーフロー管２６が接続されているため、このような漏水を確実に防止できる。
【符号の説明】
【００６３】
１        大便器装置
２        便器本体
２ａ      ボウル部
２ｂ      排水トラップ管
２ｃ      リム部
２ｄ      リム導水路
２ｆ      リム吐水口
４        洗浄水タンク装置
６        ポンプ装置
８        給水装置
１０      制御装置
１２      給水管
１４      吐水管
２０      連結ユニット
２２      タンクユニット
２４      水受けハウジング
２４ａ    下方開口部
２４ｂ    オーバーフロー口
２４ｃ    開放部
２６      オーバーフロー管
２８      逆止弁
３０      止水弁
３２      定流量弁
３４      電磁開閉弁
４０      フロートスイッチ
４２      貯水タンク
４２ａ    上方開口部
５０      電動ポンプ
５２      取水管
６０      制御回路
６１      リモコン
【図１】
0006970392.tif 000002
【図２】
0006970392.tif 000003
【図３】
0006970392.tif 000004
【図４】
0006970392.tif 000005